(57)【要約】【課題】録画番組を再符号化して圧縮を行い、あるいは消去することにより、蓄積用メモリが持つ容量の有効活用をはかる。【解決手段】録画番組を保存してある蓄積用メモリ１０２のユーザによる利用状況（参照頻度、無視聴時間、録画日時、ユーザの視聴特性を学習して得られる学習情報のいずれか）に応じて、その録画番組を再符号化して圧縮して蓄積用メモリ１０２を更新し、または消去する。このため、再符号化・消去処理判定部１０６は、判定基準保存部１０４に保存された判定基準データと、判定情報保存部１０３に保存された判定情報とを比較して対象録画番組の再符号化もしくは消去処理を起動する。【選択図】図１
2007142645.tif 000002
【特許請求の範囲】
【請求項１】
番組を符号化して蓄積用メモリに保存する番組録画再生装置であって、
前記蓄積用メモリに保存された番組の中から、所定の条件にあう番組を読み出し、前記番組を再符号化もしくは消去処理して前記蓄積用メモリの内容を更新する符号化記録圧縮手段とを備えたことを特徴とする番組録画再生装置。
【請求項２】
番組を符号化して蓄積用メモリに保存する番組録画再生装置であって、
前記蓄積用メモリに保存された番組の中から、所定の条件にあう番組を読み出し、前記番組を再符号化もしくは消去処理して前記蓄積用メモリの内容を更新する符号化記録圧縮手段と、
前記番組を録画もしくは再生する毎に、その番組に対するユーザの視聴特性を学習し、前記学習した視聴特性を前記再符号化もしくは消去処理するときの前記所定の条件の変更に反映させる視聴特性反映手段と、
を備えたことを特徴とする番組録画再生装置。
【請求項３】
番組を符号化して蓄積用メモリに保存する番組録画再生装置であって、
前記蓄積用メモリに保存された番組の中から、所定の条件にあう番組を読み出し、前記番組を再符号化もしくは消去処理して前記蓄積用メモリの内容を更新する符号化記録圧縮手段と、
前記番組が所定回数参照されたときに、前記蓄積用メモリとは独立して設けられる他の蓄積用メモリに前記番組を転送し、前記蓄積用メモリからその番組を消去する番組転送制御手段と、
を備えたことを特徴とする番組録画再生装置。
【請求項４】
番組を符号化して蓄積用メモリに保存する番組録画再生装置であって、
前記蓄積用メモリに保存された番組の中から、所定の条件にあう番組を読み出し、前記番組を再符号化もしくは消去処理して前記蓄積用メモリの内容を更新する符号化記録圧縮手段と、
前記蓄積用メモリが元々持つ容量と、前記蓄積用メモリの現時点における容量とから算出される残容量を、前記再符号化もしくは消去処理するときの前記所定の条件の変更に反映させるメモリ残容量監視手段と、
を備えたことを特徴とする番組録画再生装置。
【請求項５】
前記符号化記録圧縮手段は、
前記蓄積用メモリに蓄積された番組毎の所定期間内における参照頻度に基づき前記番組を読み出すことを特徴とする請求項１から請求項４のうちのいずれか１項記載の番組録画再生装置。
【請求項６】
前記符号化記録圧縮手段は、
前記蓄積用メモリに保存される番組毎の非参照時間に基づき前記番組を読み出すことを特徴とする請求項１から請求項４のうちのいずれか１項記載の番組録画再生装置。
【請求項７】
前記符号化記録圧縮手段は、
前記蓄積用メモリに保存される番組毎の保存期間に基づき前記番組を読み出すことを特徴とする請求項１から請求項４のうちのいずれか１項記載の番組録画再生装置。
【請求項８】
前記符号化記録圧縮手段は、
前記番組に関する入力画像と復号画像のいずれか一方を選択して符号化部へ出力する選択出力部と、
前記選択出力部により出力される入力画像もしくは復号画像を、符号化パラメータ設定部により設定される所定の符号化パラメータに従い符号化処理して前記蓄積用メモリに保存する符号化部と、
前記番組に関する復号画像の再符号化、もしくは消去処理を行うか否かを判定するための前記条件に関する情報が保存される判定情報保存部と、
前記番組に関する復号画像の再符号化もしくは消去処理を行うか否かの判定基準となる前記条件に関する情報が保存される判定基準保存部と、
前記判定情報保存部と前記判定基準保存部のそれぞれに保存された情報を比較し、前記復号画像の再符号化もしくは消去のための処理を行うか否かを判定する再符号化・消去処理判定部と、
前記再符号化・消去処理判定部からの指示に基づき、前記蓄積用メモリに保存された符号化データを復号する復号化部と、
前記再符号化・消去処理判定部からの指示に基づき、前記再符号化処理のときに使用される符号化パラメータを設定する符号化パラメータ設定部と、
を備えたことを特徴とする請求項１から請求項７のうちのいずれか１項記載の番組録画再生装置。
【請求項９】
前記符号化部は少なくとも２つから成り、一方の符号化部において前記符号化処理を行い、他方の符号化部において前記再符号化処理を行うことを特徴とする請求項８記載の番組録画再生装置。
【請求項１０】
前記再符号化・消去処理判定部は、
比較的短期間内の参照頻度に基づき再符号化もしくは消去処理を行う場合は、前記参照頻度が高い番組ほど前記再符号化もしくは消去処理を行うように制御することを特徴とする請求項８記載の番組録画再生装置。
【請求項１１】
前記再符号化・消去処理判定部は、
比較的長期間内の参照頻度に基づき再符号化もしくは消去処理を行う場合は、前記参照頻度が低い番組ほど前記再符号化もしくは圧縮処理を行うように制御することを特徴とする請求項８記載の番組録画再生装置。
【請求項１２】
前記再符号化・消去処理判定部は、
前記非参照時間が比較的長い番組ほど前記再符号化もしくは消去処理を行うように制御することを特徴とする請求項８記載の番組録画再生装置。
【請求項１３】
前記再符号化・消去処理判定部は、
前記判定情報保存部に保存された番組毎の保存日時と現在日時との差が大きい番組ほど前期再符号化もしくは消去処理を行うように制御することを特徴とする請求項８記載の番組録画再生装置。
【請求項１４】
前記再符号化・消去処理判定部による判定結果をユーザに通知するために出力し、ユーザからの指示を取り込んで前記再符号化もしくは消去処理を制御するユーザインターフェース部と、
を更に備えたことを特徴とする請求項８記載の番組録画再生装置。
【請求項１５】
前記符号化パラメータ設定部は、
前記番組のジャンルに応じて前記再符号化時における符号化パラメータを設定することを特徴とする請求項８記載の番組録画再生装置。
【請求項１６】
前記符号化パラメータ設定部は、
予約録画を含む録画の状況に応じて前記再符号化時における符号化パラメータを設定することを特徴とする請求項８記載の番組録画再生装置。
【請求項１７】
前記視聴特性反映手段は、
前記番組のジャンルを含むユーザの視聴特性を学習して保存する学習情報保存部と、
前記学習して得られる情報に基づき、前記符号化記録圧縮手段に保存されている前記条件に関する情報を補正する判定基準補正部と、
を備えたことを特徴とする請求項２記載の番組録画再生装置。
【請求項１８】
前記学習情報保存部は、前記再符号化する回数が比較的多い番組のジャンルを保存し、このとき、前記判定基準補正部は、前記ジャンルの学習順位が高いほど前記再符号化処理が行われるように前記判定基準を補正することを特徴とする請求項１７記載の番組録画再生装置。
【請求項１９】
前記学習情報保存部は、前記消去する回数が比較的多い番組のジャンルを保存し、このとき、前記判定基準補正部は、前記ジャンルの学習順位が高いほど前記消去処理が行われるように前記判定基準を補正することを特徴とする請求項１７記載の番組録画再生装置。
【請求項２０】
前記学習情報保存部は、再生頻度が比較的低い番組のジャンルを保存し、このとき、前記判定基準補正部は、前記ジャンルの学習順位が高いほど前記再符号化処理が行われるように前記判定基準を補正することを特徴とする請求項１７記載の番組録画再生装置。
【請求項２１】
前記学習情報保存部は、番組再生中にユーザが特殊操作を行ったシーンを保存し、このとき、前記符号化記録圧縮手段は、前記シーンの再符号化時における圧縮率を高めるように符号化パラメータを変更することを特徴とする請求項１７記載の番組録画再生装置。
【請求項２２】
前記番組転送制御手段は、
前記蓄積用メモリとは独立して設けられる他の蓄積用メモリと、
前記番組が所定回数参照されたときに前記番組を前記他の蓄積用メモリに転送し、前記蓄積用メモリからその番組を消去するように指示するデータ転送判定部と、
を備えたことを特徴とする請求項３記載の番組録画再生装置。
【請求項２３】
前記番組転送制御手段は、
前記蓄積用メモリとは独立して設けられる他の蓄積用メモリと、
前記番組に対するユーザの視聴特性を学習して得られる学習情報に基づき、前記番組を前記他の蓄積用メモリに転送し、前記蓄積用メモリからその番組を消去するように指示するデータ転送判定部と、
を備えたことを特徴とする請求項３記載の番組録画再生装置。
【請求項２４】
前記データ転送判定部は、
前記蓄積用メモリに保存した番組を再符号化処理しているときに、前記再符号化処理を終了したフレームの符号化データを前記蓄積用メモリから消去することを特徴とする請求項２２または請求項２３記載の番組録画再生装置。
【請求項２５】
前記メモリ残容量監視手段は、
前記蓄積用メモリが持つ容量と前記蓄積用メモリの現時点における容量とから前記蓄積用メモリの残容量を算出する残容量算出部と、
アラームを通知する判定基準になる残容量閾値が設定されるアラーム閾値設定部と、
前記残容量算出部によって算出される残容量と、前記アラーム閾値設定部に設定される残容量閾値とを比較し、その結果によっては、前記再符号化もしくは消去処理の実行が行い易いように前記条件を補正するか否かを判定するアラーム通知判定部と、
を備えたことを特徴とする請求項４記載の番組録画再生装置。
【請求項２６】
前記メモリ算容量監視手段は、
残容量算出部によって算出される前記蓄積用メモリの残容量と、アラーム閾値設定部に設定されるメモリ残容量閾値とを比較し、その結果によっては、前記番組を、前記蓄積用メモリとは独立して設けられる他の蓄積用メモリに転送し易いように前記条件を補正することを特徴とする請求項４記載の番組録画再生装置。
【請求項２７】
番組を符号化して蓄積用メモリに保存する番組録画再生装置に用いられるプログラムであって、
前記蓄積用メモリに保存された番組の中から、所定の条件にあう番組を読み出す処理と、
前記番組を再符号化もしくは消去処理して前記蓄積用メモリの内容を更新する処理と、
をコンピュータに実行させるプグラム。
【請求項２８】
番組を符号化して蓄積用メモリに保存する番組録画再生装置に用いられるプログラムであって、
前記蓄積用メモリに保存された番組の中から、所定の条件にあう番組を読み出す処理と、
前記番組を再符号化もしくは消去処理して前記蓄積用メモリの内容を更新する処理と、
前記番組を録画もしくは再生する毎に、その番組に対するユーザの視聴特性を学習する処理と、
前記学習した視聴特性を前記再符号化もしくは消去処理するときの所定の条件の変更に反映させる処理と、
をコンピュータに実行させるプログラム。
【請求項２９】
番組を符号化して蓄積用メモリに保存する番組録画再生装置に用いられるプログラムであって、
前記蓄積用メモリに保存された番組の中から、所定の条件にあう番組を読み出す処理と、
前記番組を再符号化もしくは消去処理して前記蓄積用メモリの内容を更新する処理と、
前記番組が所定回数参照されたときに前記蓄積用メモリとは独立して設けられる他の蓄積用メモリに前記番組を転送し、前記蓄積用メモリからその番組を消去する処理と、
をコンピュータに実行させるプログラム。
【請求項３０】
番組を符号化して蓄積用メモリに保存する番組録画再生装置に用いられるプログラムであって、
前記蓄積用メモリに保存された番組の中から、所定の条件にあう番組を読み出す処理と、
前記番組を再符号化もしくは消去処理して前記蓄積用メモリの内容を更新する処理と、
前記蓄積用メモリが元々持つ容量と、前記蓄積用メモリの現時点における容量とから算出される残容量を、前記再符号化もしくは消去処理するときの所定の条件の変更に反映させる処理と、
をコンピュータに実行させるプログラム。
【発明の詳細な説明】
【技術分野】
【０００１】
本発明は、番組を符号化して蓄積用メモリに保存する、番組録画再生装置およびプログラムに関する。
【背景技術】
【０００２】
近年、動画像や音声データを符号化する技術、およびデータ伝送技術の進歩により、それらをデジタルデータとして扱い、放送できるようになった。このため、デジタルテレビジョン放送では、限られた帯域の中で、アナログデレビジョン放送より多くの番組を高画質で放映することが可能になった。
一方、動画像を記憶するために、例えば、一秒間に静止画３０画面分もの容量を必要とするため、扱う情報量は非常に多くなり、このため、ハードディスク等の記録媒体に録画する場合には、媒体コストを考慮してＭＰＥＧ（Moving Picture Experts Group）等の符号化方式に基づき圧縮符号化した情報を用いる。
【０００３】
ところで、上記した記録媒体が持つメモリ容量を有効活用するために、例えば、電子番組表（ＥＰＧ）で示されるジャンル情報に基づいて符号化する際の解像度と圧縮符号化率を設定し、番組毎に最適な圧縮率で録画することができる技術が知られている（例えば、特許文献１参照）。
また、遠隔操作により録画再生装置内の録画番組タイトルを消去、移動、画質変更等することにより、録画可能な残容量を効果的に増加することができる技術も知られている（例えば、特許文献２参照）。
【０００４】
【特許文献１】特開２００２−４４６０４号公報（段落「０００８」〜「００１６」、図１）
【特許文献２】特開２００５−１８４４５１号公報（段落「０００７」〜「００１２」、図１、図８、図９）
【発明の開示】
【発明が解決しようとする課題】
【０００５】
上記した特許文献１に開示された技術によれば、番組毎に最適な圧縮符号化率で符号化を行い、番組を蓄積用メモリに保存しておくことができるが、蓄積用メモリのメモリ容量を使い果たしてしまうと、それ以降は、新たな番組を蓄積用メモリに保存することができなくなるという問題があった。
また、上記した特許文献２に開示された技術によれば、遠隔操作によって録画した番組は、消去、移動、画質変更等を行うことができるが、ユーザが録画しようとした時に、蓄積用メモリの容量が不十分の場合で、かつ、ユーザから指示を与えなければ、それらは実行されないという問題があった。
【０００６】
本発明は上記した問題を解決するためになされたものであり、録画した番組を保存してある蓄積用メモリのユーザによる利用状況に応じて録画番組を再符号化して圧縮を行い、あるいは消去することにより、蓄積用メモリが持つ容量の有効活用をはかることのできる、番組録画再生装置およびプログラムを提供することを目的とする。
【課題を解決するための手段】
【０００７】
上記した課題を解決するために本発明は、番組を符号化して蓄積用メモリに保存する番組録画再生装置であって、前記蓄積用メモリに保存された番組の中から、所定の条件にあう番組を読み出し、前記番組を再符号化もしくは消去して前記メモリの内容を更新する符号化記録圧縮手段とを備えたことを特徴とする。
【０００８】
また、本発明は、番組を符号化して蓄積用メモリに保存する番組録画再生装置であって、前記蓄積用メモリに保存された番組の中から、所定の条件にあう番組を読み出し、前記番組を再符号化もしくは消去して前記蓄積用メモリの内容を更新する符号化記録圧縮手段と、前記番組を録画もしくは再生する毎に、その番組に対するユーザの視聴特性を学習し、前記学習した視聴特性を前記再符号化もしくは消去するときの前記所定の条件の変更に反映させる視聴特性反映手段と、を備えたことを特徴とする。
【０００９】
また、本発明は、番組を符号化して蓄積用メモリに保存する番組録画再生装置であって、前記蓄積用メモリに保存された番組の中から、所定の条件にあう番組を読み出し、前記番組を再符号化もしくは消去して前記蓄積用メモリの内容を更新する符号化記録圧縮手段と、前記番組が所定回数参照されたときに、前記蓄積用メモリとは独立して設けられる他の蓄積用メモリに前記番組を転送し、前記蓄積用メモリからその番組を消去する番組転送制御手段と、を備えたことを特徴とする。
【００１０】
また、本発明は、番組を符号化して蓄積用メモリに保存する番組録画再生装置であって、前記蓄積用メモリに保存された番組の中から、所定の条件にあう番組を読み出し、前記番組を再符号化もしくは消去して前記蓄積用メモリの内容を更新する符号化記録圧縮手段と、前記蓄積用メモリが持つ実保存容量と、前記蓄積用メモリの現時点における保存容量とから算出される残保存容量を、前記再符号化もしくは消去するときの前記所定の条件の変更に反映させるメモリ残容量監視手段と、を備えたことを特徴とする。
【発明の効果】
【００１１】
本発明によれば、録画した番組を保存してある蓄積用メモリに対するユーザの利用状況に応じて、録画番組を再符号化して圧縮し、あるいは消去することにより、蓄積用メモリの容量の有効活用をはかることができる。
【発明を実施するための最良の形態】
【００１２】
実施の形態１．
図１は、本発明の実施の形態1における番組録画再生装置の構成を示すブロック図である。図１において、符号１００は選択出力部である。選択出力部１００は、外部入力信号２００と復号信号２０１を入力信号として得、いずれか一方の信号を符号化対象信号２０２として符号化部１０１へ出力する。
符号化部１０１は、選択出力部１００により出力される符号化対象信号２０２（外部入力信号２００／復号信号２０１）を、符号化パラメータ設定部１０６により設定される符号化パラメータ（圧縮率等）に従い符号化し、ここで生成された符号化データ２０３を蓄積用メモリ１０２へ転送する。
【００１３】
符号１０３は、判定情報保存部である。判定情報保存部１０３には、蓄積用メモリ１０２に保存された符号化データ（番組）に基づき、抽出判定情報２０４が保存される。ここで、「抽出判定情報」とは、後述する再符号化・消去処理判定部１０５が、番組に関する復号画像の再符号化もしくは消去処理を行うべきか否かを判定するために必要な、条件情報、例えば、番組毎の参照頻度等に関する情報をいう。
また、符号１０４は、判定基準情報保存部である。判定基準情報保存部１０４には、外部から、番組に関する復号画像の再符号化もしくは消去処理を行うか否かの判定基準となる条件に関する情報（判定基準情報）が設定され、保存される。ここで、「判定基準情報」とは、上記した抽出判定情報の閾値となる情報である。判定基準情報保存部１０４出力である判定基準情報２０６は、判定情報保存部１０３出力である抽出判定情報２０５とともに、再符号化・消去処理判定部１０５へ出力される。
【００１４】
再符号化・消去処理判定部１０５は、判定情報保存部１０３と判定基準情報保存部１０４のそれぞれに保存された、抽出判定情報２０５と判定基準情報２０６とを比較して、復号画像の再符号化、もしくは消去のための処理を行うか否かを判定し、その結果を、再符号化・消去判定信号２０８として蓄積用メモリ１０２へ、パラメータ設定信号２０７として符号化パラメータ設定部１０６へ、再符号化・消去通知信号２１２としてユーザインターフェース部１０８のそれぞれへ出力する。
【００１５】
符号化パラメータ設定部１０６は、再符号化・消去処理判定部１０５から出力される符号化パラメータ設定信号２０７に基づき、再符号化処理のときに使用される符号化パラメータ２１１を設定して符号化部１０１に供給する。また、符号１０７は復号化部であり、再符号化・消去処理判定部１０５から出力される復号化指示信号２０８に基づき、蓄積メモリ１０２に保存された符号化データ（番組）を復号化し、生成される復号信号２０１を選択出力部１００へ出力する。
なお、ユーザインターフェース部１０８は、符号化・消去処理判定部１０５により出力される再符号化・消去通知信号２１２に基づき、その判定結果をユーザに通知（ユーザ通知信号２１３）し、ユーザからの指示（ユーザ指示信号２１４）を取り込んで得られる再符号化・消去ユーザ指定信号２１５に基づき、再符号化・消去処理判定部１０５による再符号化もしくは消去処理に関する判定結果を制御する。
【００１６】
上記した、選択出力部１００、符号化部１０１、判定情報保存部１０３、判定基準保存部１０４、再符号化・消去処理判定部１０５、符号化パラメータ設定部１０６、復号化部１０７、ユーザインターフェース部１０８のそれぞれは、蓄積用メモリ１０２に蓄積された符号化データ（番組）の中から、所定の条件にあう番組を読み出し、番組を再符号化もしくは消去処理して蓄積用メモリ１０２の内容を更新する、本発明の符号化記録圧縮手段として機能する。
【００１７】
以下、図1に示す本発明の実施形態１の動作説明を行うが、以下に示される「再符号化」とは、再符号化・消去処理判定部１０５から録画番組の再符号化の指示があったときに、蓄積用メモリ１０２に保存された録画番組を再度符号化して蓄積用メモリ１０２に更新保存するという意味で用い、「圧縮」とは、再符号化により蓄積用メモリ１０２に更新保存される録画番組の容量を少なくするという意味で用いることとする。
図１において、まず、選択出力部１００は、外部入力信号２００又は復号信号２０１のいずれか一方の信号を符号化部１０１に選択出力する。符号化部１０１は、選択出力部１００によって選択出力される符号化対象信号２０２を符号化して蓄積用メモリ１０２へ出力する。このことにより、蓄積用メモリ１０２は、符号化部１０１で符号化された番組（符号化データ２０３）を保存することができる。
【００１８】
一方、判定情報保存部１０３は、ユーザが録画した番組を再生するために、例えば、蓄積用メモリ１０２にアクセスした回数に関する情報を抽出判定情報として番組毎に保存する。また、判定基準保存部１０４には、再符号化・消去処理判定を行うための判定基準情報が保存されているものとする。
このことにより、再符号化・消去処理判定部１０５は、判定情報保存部１０３と判定基準保存部１０４のそれぞれに保存された情報（抽出判定情報２０５と判定基準情報２０６）を比較することにより、再符号化・消去処理の許可、禁止に関する判定を行う。
【００１９】
符号化パラメータ設定部１０６は、再符号化を行う際の符号化パラメータ（圧縮率等）を設定する。復号化部１０７は、再符号化のために、蓄積用メモリ１０２に保存された番組（符号化データ２１０）を読み出して復号する。
このとき、ユーザインターフェース部１０８は、再符号化・消去処理判定部１０５による判定処理とユーザとのインターフェースを司る。このユーザインターフェースについての詳細は後述する。
【００２０】
一方、テレビ番組等を録画するために、選択出力部１００は、まず、外部入力信号２００を選択し、テレビ番組などを符号化部１０１で符号化し、ここで生成される符号化データ（２０３）を蓄積用メモリ１０２に出力する。
判定情報保存部１０３には、ユーザが録画した番組を再生するために、蓄積用メモリ１０２を参照（アクセス）した回数を保存しておく。なお、過去に再符号化した番組については再符号化した後にアクセスした回数を保存しておくものとする。例えば、図２に示されるように、記録した時点から特定期間内のアクセス頻度を保存しておく。図２に示した例によれば、番組１は、録画後の１年間一度も再生しなかった番組であり、番組２は、直近３０日間では一度も再生していないが１年間に２回再生した番組であり、番組３は、直近の３０日間に２回再生し、1年間では４回再生した番組であることを意味する。
【００２１】
判定基準保存部１０４には、再符号化または消去処理を行う際の基準になる判定基準情報を保存しておく。この判定基準情報の一例を図３に示す。
図３において、アクセス頻度に基づく消去基準データは、蓄積用メモリ１０２へのアクセス回数が直近３０日間に５回以上、１年間に０回であり、アクセス頻度に基づく再符号化基準データは、（蓄積用メモリ１０２へのアクセス回数が直近３０日間に２回以上４回以下）（１年間に１回以上２回以下）である。
【００２２】
直近３０日間における再符号化および消去の処理のための基準情報は、３０日間に再生した回数が多いほど、再符号化または消去処理を行い易くしている。これは、例えば３０日間等、比較的短期間中に何度も再生した映像は十分に楽しんだためである。
他方、１年間における再符号化および消去の処理のための基準情報は、１年間に再生した回数が少ないほど、再符号化または消去処理を行い易くしている。これは、番組を記録した後に、１年等、比較的長期間再生していない番組は、ユーザの興味が少なく、録画したことを忘れていると考えられるためである。
【００２３】
図４は、再符号化・消去処理判定部１０５で実行される、再符号化・消去処理判定の処理手順を示すフローチャートである。
以下、図４に示すフローチャートを参照しながら、再符号化・消去処理判定部１０５の動作について詳細に説明する。
【００２４】
再符号化・消去処理判定部１０５は、まず、番組1（ｎ＝１）から圧縮・消去判定を開始する（ステップＳＴ４１）。ここでは、番組１の直近３０日におけるアクセス頻度と、直近３０日の消去基準データとを比較する（ステップＳＴ４２）。
ここで、番組１の直近３０日におけるアクセス頻度が、直近３０日における消去基準データ以上であればステップＳＴ４６の処理に移行する。番組１の直近３０日におけるアクセス頻度が直近３０日の消去基準データ未満であれば、ステップＳＴ４３の処理に移行する。
【００２５】
ステップＳＴ４３では、番組１の直近３０日におけるアクセス頻度と、直近３０日の再符号化基準データとを比較する。ここで、番組１の直近３０日におけるアクセス頻度が、直近３０日における再符号化基準データ内（２回以上４回以下）であれば、ステップＳＴ４７の処理に移行する。一方、番組１の直近３０日におけるアクセス頻度が、直近３０日の再符号化基準データ内になければステップＳＴ４４の処理に移行する。
ステップＳＴ４４において、再符号化・消去  判定部１０５は、番組１の１年間におけるアクセス頻度と、１年間の消去基準データとを比較する。ここで、番組１の１年間におけるアクセス頻度が、１年間の消去基準データ内（１回以上２回以下）であれば、番組１の符号化データを消去するように蓄積用メモリ１０２に指示する。また、ユーザに対し、ユーザインターフェース部１０８を介して番組１を消去することを通知する（ステップＳＴ４６）。また、番組１の１年間におけるアクセス頻度が１年間の消去基準データ内になければステップＳＴ４５の処理に移行する。
【００２６】
ステップＳＴ４５において、再符号化・消去  判定部１０５は、番組１における１年間のアクセス頻度と、１年間の再符号化基準データとを比較する。ここで、番組１の１年間におけるアクセス頻度が、１年間の再符号化基準データ内であればステップＳＴ４７の処理に移行し、番組１を再符号化するように蓄積用メモリ１０２に指示する。また、ユーザに対し、ユーザインターフェース部１０８を介して番組１を再符号化することを通知する（ステップＳＴ４７）。  
また、番組1の1年間アクセス頻度が１年間の再符号化基準データ内になければステップＳＴ４８の処理に移行する。
【００２７】
ステップＳＴ４８において、再符号化・消去  判定部１０５は、現在判定を行っている番組が最後の番組(全番組数＝Ｎ)か否かを比較判定する。
ここで、現在判定を行っている番組が蓄積メモリ１０２に保存された最後の番組であるときは、上記した一連の処理を終了する。また、現在判定を行っている番組が最後の番組でない場合は、ステップＳＴ４９の処理に移行し、ここで、再符号化もしくは消去処理判定を行う番組を更新し（ステップＳＴ４９）、ステップＳＴ４２の処理に戻り、最後の番組になるまで上記した一連の再符号化・消去処理判定を行う。
【００２８】
上記した再符号化・消去処理判定部１０５の動作について、具体的例を用いて説明する。ここでは、録画番組の蓄積用メモリ１０２へのアクセス頻度は、図２に示した例を引用し、また、再符号化・消去の判定基準は、図３に示した例を引用することとし、次のようにする。すなわち、直近３０日消去基準データ＝５、直近３０日再符号化基準データの最大値＝４、直近３０日再符号化基準データの最小値＝２、１年間消去基準データ＝０、１年間再符号化基準データの最大値＝２、１年間再符号化基準データの最小値＝１とする。
【００２９】
ここで、番組１は、直近３０日におけるアクセス頻度が０回であるため、図４に示すステップＳＴ４２、ステップＳＴ４３の判定条件には該当しない。ここでは、１年間におけるアクセス頻度は０回であるため、１年間の消去基準データ「０」と等しく、このため、ステップＳＴ４４の条件に該当し、消去対象となる。
また、番組２は、直近３０日におけるアクセス頻度が０回であるため、図４に示すステップＳＴ４２、ステップＳＴ４３の判定条件には該当しない。また、１年間のアクセス頻度は２回であるため、１年間の消去基準データ「０」以下にならず、したがって、図４に示すステップＳＴ４４の判定条件にも該当しない。ここでは、１年間の再符号化基準データの最大値「２」と等しいため、ステップＳＴ４５の判定条件に該当し、再符号化の対象となる。
【００３０】
また、番組３は、直近３０日におけるアクセス頻度が２回であるため、図４に示すステップＳＴ４２の判定条件には該当しないが、直近３０日における再符号化基準データの最小値「２」と等しいため、ステップＳＴ４３の判定条件に該当する。したがって、再符号化の対象となる。
【００３１】
再符号化または消去する番組について、再符号化・消去処理判定部１０５は、圧縮・消去ユーザ指定信号２１５により、自動的に再符号化し、または消去処理を行っても良いと指定された場合は、ユーザに再符号化または消去処理を行うことを通知することなく、番組を再符号化、または消去処理するように、蓄積用メモリ１０２に対して、圧縮・消去判定信号２０８を供給し、さらに、再符号化の場合は、符号化パラメータ設定部１０６に対して圧縮率指定信号２０７を供給する。
【００３２】
一方、ユーザから、ユーザインターフェース部１０８を介し、再符号化・消去ユーザ指定信号２１５により、自動的に再符号化または消去を行ってはいけないと指示された場合は、以下の処理を実行する。
すなわち、再符号化・消去処理判定部１０５は、ユーザに再符号化または消去処理を行うことを通知し、番組の再符号化または消去処理の許可を得た後、蓄積用メモリ１０２に対して再符号化・消去判定信号２０８を供給し、さらに、再符号化の場合は、符号化パラメータ設定部１０６に対して圧縮率指定信号２０７を供給する。なお、実際の再符号化・消去処理は、録画状態ではない（外部入力信号２００が入力されていない）場合に限って行われる。
【００３３】
上記したように、対象となった録画番組を消去する場合は、再符号化・消去処理判定部１０５から蓄積用メモリ１０２に対し、圧縮・消去判定信号２０８により、録画番組を消去するように指示する。
また、対象となった録画番組を再符号化する場合は、圧縮・消去処理判定部１０５から蓄積用メモリ１０２に対し、再符号化・消去判定信号２０８により、番組を再符号化するように指示する。
【００３４】
番組を再符号化するように指示を受けた蓄積用メモリ１０２は、番組の符号化データを復号化部１０７に出力し、復号化部１０７において復号化して復号信号２０１を得る。また、蓄積用メモリ１０２から、蓄積データ２０９を符号化パラメータ設定部１０６に入力する。ここで、蓄積データとは、保存される符号化データとは異なる、例えば、録画モード、符号化ステップ、符号化データ量等の符号化データ、番組のジャンル、録画状況に関する属性情報である。
【００３５】
符号化パラメータ設定部１０６は、上記した蓄積データ２０９と、圧縮率指定信号２０７とに基づいて符号化パラメータを設定する。
例えば、録画モードによって録画したときのレート（圧縮率）がわかるため、再符号化の際は、録画したときの符号化レートよりも低くなるように目標レートを設定することができる。また、量子化ステップが局所的に高いシーンについては再符号化の際の圧縮率を下げて画質劣化を抑制することもできる。更に、番組のジャンル情報によって再符号化時の圧縮率を可変にすることもできる。例えば、ドラマのような動きの少ない番組に対しては圧縮率を高くし、マラソンのような動きのある番組に対しては圧縮率を低くする。また、録画したときに予約をしたのか、それとも、突然、録画を開始したかによって圧縮率を可変にすることもできる。例えば、あらかじめ予約をした場合には、その番組は興味があると判定して圧縮率を低くする等である。
【００３６】
なお、符号化パラメータ設定部１０６には、再符号化・消去処理判定部１０５を介して、アクセス頻度に応じて再符号化時の圧縮率を指示する圧縮率指定信号２０７も供給されており、この圧縮率指定信号２０７により、例えば、図３に示す再符号化基準データの範囲内において、実際のアクセス頻度がより少ない番組の圧縮率を高くすることが可能である。例えば、直近３０日におけるアクセスが２回の番組は、直近３０日におけるアクセスが４回の番組よりも圧縮率を高くする等である。
【００３７】
続いて、選択出力部１００は、符号化対象信号２０２として復号信号２０１を選択し、符号化部１０１へ出力する。符号化部１０１は、符号化パラメータ設定部１０６によって設定された符号化パラメータ２１１を用いて符号化対象信号２０２を再符号化し、符号化データ２０３を蓄積用メモリ１０２に保存する。そして、蓄積用メモリ１０２は、再符号化前の符号化データ（番組）を消去する。
再符号化後の符号化データを保存するための容量が蓄積用メモリ１０２に存在しない場合は、再符号化を行いながら、再符号化が終了したフレームの符号化データを消去して蓄積用メモリ１０２の残容量を増やしながら、再符号化後の符号化データを蓄積用メモリ１０２に保存する制御を行う。
【００３８】
なお、蓄積用メモリ１０２は、単に、録画された番組を保存するだけでなく、その番組の消去、あるいは再符号化後の符号化データを更新のために保存する制御を行う制御装置を含むものとする。
【００３９】
以上説明のように、上記した本発明の実施の形態１によれば、蓄積用メモリ１０２に録画した番組を特定の期間内にアクセスした回数によって再符号化、もしくは消去処理することにより、ユーザが十分に再生した番組、またはほとんど再生していない番組を再符号化して圧縮保存し、あるいは消去することができるため、蓄積用メモリ１０２が持つ容量の有効活用をはかることができる。
【００４０】
実施の形態２．
本発明の実施の形態２における番組録画再生装置の構成は、図１に示す実施の形態１の番組録画再生装置と同じであるため、構成の説明は重複を回避する意味で省略する。
実施の形態１との差異は、判定情報保存部１０３に保存する判定情報２０４と、判定基準保存部１０４に保存する判定基準データ２０６にある。
【００４１】
ここで使用される判定情報２０４は、蓄積用メモリ１０２に保存された番組ごとの無視聴時間（番組の非参照時間）である。過去に再符号化した番組については、再符号化した後の無視聴時間を保存することとする。
判定情報保存部１０３に、例えば、図５に示されるように、番組を録画した時点や、前回再生した時点から現時点までの再生していない時間情報を保存しておく。図５では、番組１は、無視聴時間が７日、番組２は、無視聴時間が３５日、番組３は、無視聴時間が３６５日である。
【００４２】
判定基準保存部１０４には、再符号化または消去処理を行うときに、基準となる再符号化基準データと、消去基準データとを保存しておく。例えば、図６に示されるように、無視聴時間に基づく再符号化基準データは３０日とし、消去基準データは３６５日とする。
これは、無視聴時間が長い場合には録画した番組に興味がなかったり、あるいは、忘れていると考えられるため、その番組を再符号化による圧縮、または消去することによって蓄積用メモリ１０２が持つ容量の有効活用がはかれる。
【００４３】
図７は、第２の実施の形態における番組録画再生装置の再符号化・消去処理判定部１０５において実行される、再符号化・消去判定の処理手順を示すフローチャートである。
以下、図７に示すフローチャートを参照しながら第２の実施の形態にかかわる番組録画再生装置の再符号化・消去処理判定部１０５の動作について詳細に説明する。
【００４４】
再符号化・消去処理判定部１０５は、まず、番組1（ｎ＝１）から圧縮・消去判定を開始する（ステップＳＴ７１）。
次に、再符号化・消去処理判定部１０５は、番組１の無視聴時間と消去基準データとを比較する（ステップＳＴ７２）。ここで、番組１の無視聴時間が消去基準データ以上であれば、再符号化・消去処理判定部１０５は、番組１を消去するように蓄積用メモリ１０２に指示する。また、ユーザに対してもユーザインターフェース部１０８を介して番組1を消去することを通知する（ステップＳＴ７４）。
【００４５】
一方、番組１の無視聴時間が消去基準データ未満であればステップＳＴ７３の処理に移行し、再符号化・消去処理判定部１０５は、番組１の無視聴時間と再符号化基準データとを比較する（ステップＳＴ７３）。
【００４６】
ここで、番組１の無視聴時間が再符号化基準データ以上であれば、再符号化・消去処理判定部１０５は、番組１を再符号化して圧縮するように蓄積用メモリ１０２に指示する。また、ユーザに対してもユーザインターフェース部１０８を介して番組1を再符号化して圧縮することを通知する（ステップＳＴ７５）。
また、番組１の無視聴時間が再符号化基準データ未満であればステップＳＴ７６の処理に移行し、再符号化・消去処理判定部１０５は、現在、判定を行っている番組が最後の番組（全番組数＝Ｎ）か否かを判定する。現在判定を行っている番組が最後の番組のときは、上記した再符号化・消去判定のための一連の処理は終了する。また、現在判定を行っている番組が最後の番組でない場合は、ステップＳＴ７７の処理に移行する。
【００４７】
ステップＳＴ７７において、再符号化・消去処理判定部１０５は、再符号化・消去判定を行うための番組のアドレスを更新し、ステップＳＴ７２の処理に戻って最後の番組になるまで上記した再符号化・消去判定のための一連の処理を行う。
【００４８】
次に、再符号化・消去処理判定部１０５の動作について、具体例を用いて説明する。ここでは、録画番組の無視聴時間は、図５に示した例に基づき説明する。また、再符号化・消去処理を実行するための判定基準は、図６に示す例と同じとし、消去基準データ＝３６５日、再符号化基準データ＝３０日とする。
すなわち、番組１は、無視聴時間が７日であるため、消去基準データ「３６５日」より小さく、再符号化基準データ「３０日」よりも小さいため、図７に示すステップＳＴ７２、ステップＳＴ７３の判定条件には該当しない。従って、ここでは、再符号化による圧縮も消去処理も行わない。
【００４９】
一方、番組２は、無視聴時間が３５日であるため、消去基準データ「３６５日」よりも小さく、従って、図７に示すステップＳＴ７２の判定条件には該当しない。しかしながら、再符号化基準データ「３０日」と等しいため、ステップＳＴ７３の判定条件に該当し、再符号化による圧縮対象となる。
また、番組３は、無視聴時間が３６５日であるため、消去基準データ「３６５日」と等しく、従って、ステップＳＴ７２の判定条件に該当し、消去対象となる。
【００５０】
再符号化・消去処理判定部１０５は、再符号化または消去番組について、再符号化・消去ユーザ指定信号２１５によりユーザが自動的に再符号化または消去処理を行っても良いと指定した場合は、ユーザに再符号化または消去処理を行うことを通知することなく、番組を再符号化または消去するように蓄積用メモリ１０２に、再符号化・消去判定信号２０８を出力する。また、再符号化の際は、更に、符号化パラメータ設定部１０６に対して圧縮率指定信号２０７を出力する。
【００５１】
一方、再符号化・消去ユーザ指定信号２１５により、ユーザが、自動的に圧縮または消去を行ってはならないと指定した場合は、ユーザに、ユーザインターフェース部１０８を介して再符号化または消去処理を行うことを通知し、番組の再符号化または消去の許可を得てから、蓄積用メモリ１０２に対して、再符号化・消去判定信号２０８を出力する。また、再符号化の際は、符号化パラメータ設定部１０６に対して圧縮率指定信号２０７を出力する。
なお、実際の再符号化・消去処理は録画状態でない（外部入力信号が入力されていない）状態で行なわれる。
【００５２】
消去対象となった番組を消去する場合は、再符号化・消去処理判定部１０５は、蓄積用メモリ１０２に対して、再符号化・消去判定信号２０８により番組を消去するように指示する。また、再符号化の対象となった番組を圧縮する際は、再符号化・消去処理判定部１０５から蓄積用メモリ１０２に対して、再符号化・消去判定信号２０８により番組を再符号化して圧縮するように指示する。
番組を再符号化するように指示を受けた蓄積用メモリ１０２は、番組の符号化データを復号化部１０７に出力し、復号化部１０７で復号して復号信号２０１を生成する。    また、蓄積用メモリ１０２から蓄積データ２０９を読み出して符号化パラメータ設定部１０６に出力する。蓄積データは、例えば、録画モード、符号化ステップ、符号化データ量などの符号化データ、番組のジャンル、録画状況等に関する属性情報である。
【００５３】
一方、符号化パラメータ設定部１０６は、蓄積データ２０９と、圧縮率指定信号２０７に基づいて符号化パラメータを設定する。例えば、録画モードによって録画したときのレートがわかるため、再符号化の際は、録画したときの符号化レートよりも低くなるように目標レートを設定する。
また、量子化ステップが局所的に高いシーンについては再符号化時の圧縮率を下げて画質劣化を抑制する。また、番組のジャンル情報によって再符号化時の圧縮率を可変にする。例えば、ドラマのような動きの少ない番組に対しては圧縮率を高くし、マラソンのような動きのある番組に対しては圧縮率を低くする。更に、録画したときに予約をしたのか、それとも突然録画を開始したかによって圧縮率を可変にする。例えば、あらかじめ予約をした場合には、その番組は興味があると判定して圧縮率を低くする。
【００５４】
また、再符号化・消去処理判定部１０５から無視聴時間に応じて再符号化時の圧縮率を指示する圧縮率指定信号２０７を符号化パラメータ設定部１０６に入力する。例えば、再符号化基準データを大きくした場合は圧縮されにくくなるが、そのような場合に圧縮するように判定された時は圧縮率を高める。あるいは反対に再符号化基準データを小さくした場合は圧縮されやすくなるが、そのような場合に圧縮するように判定された時は圧縮率を低くする。
【００５５】
そして、選択出力部１００は、符号化対象信号２０２として復号信号２０１を選択し、符号化部１０１へ出力する。符号化部１０１は、符号化パラメータ設定部１０６によって設定された符号化パラメータ２１１を用いて符号化対象信号２０２を再符号化し、符号化データ２０３を蓄積用メモリ１０２に保存する。そして、蓄積用メモリ１０２は再符号化前の符号化データ（番組）を消去する。
なお、再符号化後の符号化データを保存するための容量が蓄積用メモリ１０２にない場合は、再符号化を行いながら再符号化が終了したフレームの符号化データを消去して蓄積用メモリ１０２の残り容量を増やしながら、再符号化後の符号化データを蓄積用メモリ１０２に保存する。
【００５６】
以上説明のように本発明の実施の形態２によれば、ユーザが蓄積用メモリ１０２に録画した番組を、無視聴時間に応じて再符号化して圧縮し、または消去することにより、蓄積用メモリ１０２が持つ容量の有効活用をはかることができる。
【００５７】
実施の形態３．
本発明の実施の形態３にかかわる番組録画再生装置の構成は、図１に示す実施の形態１および実施の形態２の番組録画再生装置と同じであるため、構成の説明は、重複を回避する意味で省略する。
実施の形態１、実施の形態２との差異は、判定情報保存部１０３に保存される抽出判定情報２０４と、判定基準保存部１０４に保存される判定基準データ２０６とにある。
【００５８】
判定情報保存部１０３に保存される判定情報２０４は、蓄積用メモリ１０２に保存された番組ごとの録画日時である。過去に再符号化され圧縮記録された番組についても録画した日時を保存する。例えば、図８に示されるように、番組を録画した日時を保存しておく。
図８に示す例によれば、番組１は、録画日時が２００４年７月３０日、番組２は、録画日時が２００５年７月２０日、番組３は、録画日時が２００５年８月１０日である。
【００５９】
判定基準保存部１０４は、再符号化または消去処理を行う際に基準となる再符号化基準データと消去基準データとを保存する。例えば、図９に示されるように、録画日時に基づく再符号化基準データは、録画日時が再符号化・消去判定日時より３０日以前とし、消去基準データは、録画日時が圧縮・消去判定日時より３６５日以前とする。
これは、録画日時が古い番組はユーザの興味がなくなってきており、忘れてしまっている可能性もあることから、録画番組を再符号化して圧縮記録し、または消去することによって、蓄積用メモリ１０２が持つ容量の有効活用をはかるために設定される。
【００６０】
図１０は、第３の実施の形態にかかわる番組録画再生装置の再符号化・消去処理判定部１０５において実行される、再符号化・消去判定の処理手順を示すフローチャートである。
以下、図１０に示すフローチャートを参照しながら、第３の実施の形態にかかわる再符号化・消去処理判定部１０５の動作について説明する。
【００６１】
再符号化・消去処理判定部１０５は、まず、番組1（ｎ＝１）から再符号化・消去判定処理を開始する（ステップＳＴ１０１）。次に、現時点における日時と、番組１の録画日時との差を計算し、番組１の保存期間を算出する（ＳＴ１０２）。
続いて、再符号化・消去処理判定部１０５は、番組１の保存期間と、判定基準保存部１０４に保存された消去基準データとを比較する（ＳＴ１０３）。ここで、判定情報保存部１０３に保存された番組１の保存期間が、判定基準保存部１０４に保存された消去基準データ以上であれば、番組1を消去するように蓄積用メモリ１０２に指示する。また、ユーザに対してもユーザインターフェース部１０８を介して番組１を消去することを通知する（ステップＳＴ１０５）。また、判定情報保存部１０３に保存された番組１の保存期間が、判定基準保存部１０４に保存された消去基準データ未満であればステップＳＴ１０４の処理に移行する。
【００６２】
ステップＳＴ１０４において、再符号化・消去処理判定部１０５は、判定情報保存部１０３に保存された番組１の保存期間と、判定基準保存部１０４に保存された再符号化基準データとを比較する。
ここで、番組１の保存期間が再符号化基準データ以上であれば、番組1を再符号化して更新するように蓄積用メモリ１０２に指示する。また、ユーザインターフェース部１０８を介してユーザに番組１を再符号化することを通知する（ステップＳＴ１０６）。また、判定情報保存部１０３に保存された番組１の保存期間が判定基準保存部１０４に保存された再符号化基準データ未満であれば、ステップＳＴ１０７の処理に移行する。
【００６３】
ステップＳＴ１０７では、再符号化・消去処理判定部１０５は、現在判定を行っている番組が最後の番組（全番組数＝Ｎ）か否かを判定する。現在判定を行っている番組が最後の番組のときは、上記した一連の再符号化・消去判定処理を終了する。また、現在判定を行っている番組が最後の番組でないときは、再符号化・消去判定処理を行う番組を更新して（ステップＳＴ１０８）、ステップＳＴ１０２の処理に戻り、最後の番組になるまで上記した一連の再符号化・消去判定処理を行う。
【００６４】
次に、再符号化・消去処理判定部１０５の動作について、具体例を用いて説明する。ここでは、録画番組の録画日時は、図８に示す例を用い、再符号化・消去処理のための判定基準は、図９に示す例と同様とし、消去基準データ＝３６５日、再符号化基準データ＝３０日とする。また、現在の日時を２００５年８月３１日として以下に説明を行う。
【００６５】
上記した例によれば、番組１は、録画日時が２００４年７月３０日であるため、その保存期間は３９１日となり、消去基準データ「３６５日」より大きいため、図１０に示すステップＳＴ１０３の判定条件に該当し、従って、消去対象となる。
また、番組２は、録画日時が２００５年７月２０日であるため、保存期間は３６日となり、消去基準データ「３６５日」より小さいため、図１０に示すステップＳＴ１０３の判定条件には該当しない。しかし、再符号化基準データ「３０日」よりは大きいため、図１０に示すステップＳＴ１０４の判定の条件に該当し、従って、再符号化の対象となる。
【００６６】
一方、番組３は、録画日時が２００５年８月１日であるため、その保存期間は２４日となり、消去基準データ「３６５日」と、再符号化基準データ「３０日」のいずよりも小さいため、再符号化または消去の対象にはならない。
【００６７】
再符号化・消去処理判定部１０５は、再符号化または消去番組について、ユーザから、再符号化・消去ユーザ指定信号２１５により自動的に圧縮または消去を行っても良いと指定された場合は、ユーザに対し、再符号化または消去処理を行うことを通知することなく、番組を再符号化または消去するように蓄積用メモリ１０２に対して再符号化・消去判定信号２０８を出力し、再符号化の場合は、更に符号化パラメータ設定部１０６に対して圧縮率指定信号２０７を出力する。
【００６８】
一方、再符号化・消去ユーザ指定信号２１５により、自動的に圧縮または消去を行ってはいけないと指定された場合、再符号化・消去処理判定部１０５は、ユーザインターフェース部１０８を介してユーザに対して再符号化または消去を行うことを通知する。そして、番組の再符号化または消去の許可を得てから蓄積用メモリ１０２に対して、再符号化・消去判定信号２０８を出力し、再符号化の場合は、更に符号化パラメータ設定部１０６に対して圧縮率指定信号２０７を出力する。
なお、実際の再符号化・消去処理は、録画状態ではない（外部入力信号が入力されていない）場合に限って行なわれる。
【００６９】
消去対象となった番組を消去する場合は、再符号化・消去処理判定部１０５から蓄積用メモリ１０２へ再符号化・消去判定信号２０８により番組を消去するように指示する。
また、再符号化の対象となった番組を再符号化して蓄積用メモリ１０２に圧縮記録する場合は、再符号化・消去処理判定部１０５から蓄積用メモリ１０２に対して、再符号化・消去判定信号２０８により番組を再符号化し更新するように指示する。
【００７０】
番組を圧縮するように指示を受けた蓄積用メモリ１０２は、番組の符号化データを復号化部１０７に出力し、復号化部１０７で復号して復号信号２０１を生成する。
また、蓄積用メモリ１０２から蓄積データ２０９を読み出して符号化パラメータ設定部１０６に入力する。蓄積データは、例えば、録画モード、符号化ステップ、符号化データ量などの符号化データ、番組のジャンル、録画状況等に関する属性情報である。
【００７１】
一方、符号化パラメータ設定部１０６は、上記した蓄積データ２０９と、圧縮率指定信号２０７とに基づき、符号か部１０１に対して符号化パラメータを設定する。例えば、録画モードによって録画したときのレートがわかるため、再符号化の際は録画したときの符号化レートよりも低くなるように目標レートを設定する。
また、量子化ステップが局所的に高いシーンについては再符号化時の圧縮率を下げて画質劣化を抑制する。また、番組のジャンル情報によって再符号化時の圧縮率を可変にする。例えば、ドラマのような動きの少ない番組に対しては圧縮率を高くし、マラソンのような動きのある番組に対しては圧縮率を低くする。更に、録画したときに予約をしたのか、それとも突然録画を開始したかによって圧縮率を可変にする。例えば、あらかじめ予約をした場合には、その番組は興味があると判定して圧縮率を低くする。
【００７２】
再符号化・消去処理判定部１０５はまた、番組の保存期間に応じて再符号化時の圧縮率を指示する圧縮率指定信号２０７を符号化パラメータ設定部１０６に出力する。例えば、再符号化基準データを大きくした場合は圧縮されにくくなるが、そのような場合に再符号化するように判定された時は圧縮率を高める。あるいは、反対に再符号化基準データを小さくした場合は圧縮され易くなるが、そのような場合に再符号化するように判定された時は圧縮率を低くする。
【００７３】
続いて、選択出力部１００は、符号化対象信号２０２として復号信号２０１を選択し、符号化部１０１へ出力する。符号化部１０１は、符号化パラメータ設定部１０６によって設定された符号化パラメータ２１１を用いて符号化対象信号２０２を再符号化し、符号化データ２０３を蓄積用メモリ１０２に保存する。このとき、蓄積用メモリ１０２は、再符号化前の符号化データ（番組）を消去する。
なお、再符号化後の符号化データを保存するための容量が蓄積用メモリ１０２にない場合は、再符号化を行いながら再符号化が終了したフレームの符号化データを消去して蓄積用メモリ１０２の残容量を増やしながら、再符号化後の符号化データを蓄積用メモリ１０２に保存する。
【００７４】
以上説明のように、本発明の実施の形態３によれば、蓄積用メモリ１０２に録画した番組の保存期間に基づいて再符号化または消去処理することにより、保存期間の長い番組を圧縮または消去することができ、従って、蓄積用メモリ１０２が持つ容量の有効活用をはかることができる。
【００７５】
実施の形態４．
図１１は、本発明の実施の形態４にかかわる番組録画再生装置の内部構成を示すブロック図である。
図１に示す実施形態１、実施形態２、実施形態３との構成上の差異は、番組のジャンルを含むユーザの視聴特性を学習して保存する学習情報保存部１０９と、学習情報保存部１０９で学習して得られる情報に基づき、判定基準保存部１０４に保存されている判定条件に関する基準情報を補正する判定基準補正部１１０とから成る視聴特性反映手段が付加されたことにある。図１１中、２１６はユーザ特性情報、２１７は抽出ユーザ特性情報であり、２０６は補正後の判定基準データとなる。学習情報の一例を図１２に示す。学習情報として、ユーザが録音する番組のジャンル、ユーザが録画番組の中から再生する番組のジャンル、ユーザが再生中に早送りなどの特殊操作を行ったシーン等が考えられる。
【００７６】
学習情報保存部１０９は、ユーザの視聴特性を学習し保存しておくとともに、学習した情報を判定基準補正部１１０に出力する。判定基準補正部１１０は、他に、判定基準保存部１０４からも判定基準データ２１８が入力されている。判定基準補正部１１０は、抽出ユーザ特性情報２１７に基づいて再符号化または消去の判定基準を補正し、補正後の判定基準データ２０６を、再符号化・消去処理判定部１０５に送る。
上記した学習情報保存部１０９と、判定基準補正部１１０は、番組を録画もしくは再生する毎に、その番組に対するユーザの視聴特性を学習し、当該学習した視聴特性を再符号化もしくは消去処理するときの所定の判定条件の変更に反映させる視聴特性反映手段（図１１中、点線枠内で囲まれたブロック）として機能する。
【００７７】
図１３に、学習情報保存部１０９に保存する情報の一例が示されている。ここでは、録画した番組毎にジャンルを保存するものとする。
図１３に示す例によれば、番組１はドラマ番組、番組２はバラエティ番組、番組３はアニメ番組である。また、学習項目として、再符号化する回数の多い番組ジャンル、消去する回数の多い番組ジャンル、ユーザが録画番組の中から再生する回数が少ない番組ジャンル、再生中にユーザが早送りしたシーンの特徴を保存する。
【００７８】
図１３に示す例によれば、再符号化の回数の多い番組ジャンルとして、１位はドラマ番組、２位は映画番組、３位はスポーツ番組である。また、消去する回数の多い番組ジャンルとして、１位はニュース番組、２位はバラエティ番組、３位は社会番組である。
また、ユーザが録画番組の中から再生する回数が少ない番組ジャンルとして、１位は教養番組、２位は音楽番組、３位はアニメ番組である。また、再生中にユーザが頻繁に早送りするシーンはＣＭである。
【００７９】
図１４は、図１１に示す判定基準補正部１１０で実行される判定基準データの補正手順を示すフローチャートである。
以下、図１４に示すフローチャートを参照しながら図１１に示す本発明の第３の実施形態にかかわる番組録画再生装置の判定基準補正部１１０の動作について説明する。
【００８０】
判定基準補正部１１０は、番組１から判定基準データの補正を開始する（ステップＳＴ１４１）。続いて、番組１のジャンルと再符号化される回数が多いジャンルとを比較する（ステップＳＴ１４２）。番組１が再符号化される回数が多いジャンルに相当する時は、ステップＳＴ１４５の処理に移行し、番組１が再符号化される回数が多いジャンルに相当しない時は、ステップＳＴ１４３の処理に移行する。
ステップＳＴ１４３において、判定基準補正部１１０は、番組１のジャンルと、消去される回数が多いジャンルとを比較する。ここで、番組１が消去される回数が多いジャンルに相当する時は、判定基準保存部１０４に保存された消去基準データを補正する（ステップＳＴ１４６）。ここでは、消去する回数が多いジャンルの順位が高い（１位に近い）ほど消去され易いように判定基準データを補正することとする。なお、番組１が消去される回数が多いジャンルに相当しない時はステップＳＴ１４４の処理に移行する。
【００８１】
ステップＳＴ１４４において、判定基準補正部１１０は、番組１のジャンルと再生する回数の少ないジャンルとを比較する。ここで、番組１が再生する回数の少ないジャンルに相当する時は、判定基準保存部１０４に保存された再符号化基準データを補正する（ステップＳＴ１４５）。ここでは、再符号化を行う回数が多いジャンルの順位が高（１位に近い）くなるにつれ再符号化し易いように判定基準データを補正するものとする。また、再生する回数が少ないジャンルの順位が高（１位に近い）くなるにつれ再符号化し易いように判定基準データを補正する。
なお、番組１が再生する回数の少ないジャンルに相当しない時はステップＳＴ１４７の処理に移行する。
【００８２】
ステップＳＴ１４７において、判定基準補正部１１０は、現在判定を行っている番組が最後の番組（全番組数＝Ｎ）か否かを判定する。現在判定を行っている番組が最後の番組のときは上記した一連の判定基準補正処理を終了する。また、現在判定を行っている番組が最後の番組でないときは、判定基準の補正を行う番組を更新し（ステップＳＴ１４８）、ステップＳＴ１４２の処理に戻り、最後の番組になるまで判定基準の補正を行う。
【００８３】
次に、判定基準補正部１１０の動作について、具体的例を用いて説明する。ここでは、録画番組のジャンル情報と学習情報は、図１３に示す例を用い、また、判定基準保存部１０４に保存されるオリジナルの基準データは図３に示す例を用いて説明する。
【００８４】
ここでは、番組１はドラマ番組であり、再符号化する回数が多い番組ジャンルとして学習情報保存部１０９に保存されている。従って、図１４のステップＳＴ１４２の判定条件に該当するため、判定基準補正部１１０は、判定基準保存部１０４に保存されてあるオリジナルの再符号化基準データを補正する。
ここで、図３に例示されるように、オリジナルの再符号化基準データは、直近３０日が２回以上４回以下で、１年が１回以上２回以下である。このため、判定基準補正部１１０は、例えば、この再符号化基準データの直近３０日の条件を、１回以上４回以下、１年の条件を、１回以上４回以下に変更すれば、再符号化を行う頻度を高くすることができる。
【００８５】
また、番組２はバラエティ番組であり、消去する回数が多い番組ジャンルとして学習情報保存部１０９に保存されている。したがって、図１４のステップＳＴ１４３の判定条件に該当するため、判定基準補正部１１０は、判定基準保存部１０４の消去基準データを補正する。
ここで、図３に例示されるように、オリジナルの消去基準データは、直近３０日が５回以上で、１年が０回である。このため、判定基準補正部１１０は、例えば、この消去基準データの直近３０日の条件を４回以上、１年の条件を１回以下に変更すれば、消去処理を行う頻度を高くすることができる。
【００８６】
また、番組３はアニメ番組であり、録画番組の中で再生回数が少ない番組ジャンルとして学習情報保存部１０９に保存されている。したがって、図１４のステップＳＴ１４４の判定条件に該当するため、判定基準補正部１１０は、判定基準保存部１０４に保存された再符号化基準データを補正する。
ここで、図３に例示されるように、オリジナルの再符号化基準データは、直近３０日が２回以上４回以下で、１年が１回以上２回以下である。このため、判定基準補正部１１０は、例えば、この再符号化基準データの直近３０日の条件を１回以上４回以下、１年の条件を１回以上３回以下に変更すれば、再符号化を行う頻度を高くすることができる。
【００８７】
なお、学習情報保存部１０９が、図１３に示すユーザ視聴特性情報の一例として、「ユーザは再生中にＣＭを頻繁に早送りする」ことを、符号化パラメータ設定部１０６に出力したとする。このとき、符号化パラメータ設定部１０６は、符号化部１０１に対してＣＭの圧縮率を高めるように符号化パラメータを設定して再符号化を指示する。このことにより、蓄積用メモリ１０２に保存される情報量を抑制することができる。
なお、再符号化・消去判定後のその他の処理は、実施の形態1、実施の形態２、実施の形態３と同様であるため、重複を回避する意味で説明を省略する。
【００８８】
以上説明のように本発明の実施の形態４によれば、ユーザの視聴特性を学習することによって、録画番組の中から再生頻度の少ない番組ジャンルや、再符号化・消去を行うことが多い番組ジャンルを、再符号化・消去し易いようにすることで、蓄積用メモリ１０２の容量の有効活用をはかることができる。
なお、上記した実施の形態４では、実施の形態１で例示された判定基準データおよび抽出判定データに基づき説明したが、実施の形態２あるいは実施の形態３で例示された判定基準データおよび抽出判定データを用いても同様の効果が得られる。
【００８９】
実施の形態５．
図１５は、本発明の実施の形態５にかかわる番組録画再生装置の内部構成を示すブロック図である。
図１に示す実施形態１、実施形態２、実施形態３との構成上の差異は、蓄積用メモリ１０２とは独立して設けられる他の蓄積用メモリ（以下、外部蓄積用メモリ１１１という）と、番組が所定回数参照されたときにその番組を外部蓄積用メモリ１１１に転送し、蓄積用メモリ１０２からその番組を消去するように指示するデータ転送判定部１１２とを付加したことにある。他の構成は、図１と同様である。なお、図中、２２０は、データ転送判定部１１２によって出力される判定情報（転送指示フラグ）である。
【００９０】
外部蓄積用メモリ１１１は、蓄積用メモリ１０２に保存された符号化データ（番組）を外部に保存する。また、データ転送判定部１１２は、転送指示フラグ２０５と、判定基準保存部１０４に保存された判定基準データ２０６とに基づき、録画された番組を外部蓄積用メモリ１１１に転送するか否かの判定を行う。
このため、上記した外部蓄積用メモリ１１１と、データ転送判定部１１２は、番組が所定回数参照されたときに、蓄積用メモリ１０２とは独立して設けられる他の蓄積用メモリ（外部蓄積用メモリ１１１）に番組を転送し、蓄積用メモリ１０２からその番組を消去する番組転送制御手段（図１５中、点線枠内で囲まれたブロック）として機能する。以下に、その詳細説明を行う。
【００９１】
図１６にデータ転送判定に用いる判定基準の一例を示す。ここでは、蓄積用メモリ１０２に保存された番組に５回以上アクセスした番組を転送することとする。これは、アクセス回数が多い番組は再生回数が多い番組であり、十分に楽しんだと考えられるために転送を行うものである。アクセス回数は、録画日時以降の回数とし、一度再符号化してもアクセス回数を０にリセットすることなく継続してカウントするものとする。
図１７は、データ転送判定部１１２で実行されるデータ転送の判定手順を示すフローチャートである。以下、図１７に示すフローチャートを参照しながら、図１５に示す本発明の実施の形態５にかかわる番組録画再生装置のデータ転送判定部１１２の動作について説明する。
【００９２】
データ転送判定部１１２は、番組１からデータ転送判定処理を開始する（ステップＳＴ１７１）。データ転送判定部１１２は、続いて、番組１のアクセス回数と転送基準データとを比較する（ステップＳＴ１７２）。番組１のアクセス回数は判定情報保存部１０３、転送基準データは判定基準保存部１０４から取り込まれる。
データ転送判定部１１２は、番組１のアクセス回数が転送基準データ以上であれば、番組１を外部蓄積用メモリ１１１に転送するように転送指示フラグ２２０を設定する（ステップＳＴ１７３）。また、番組１のアクセス回数が転送基準データ未満であれば、ステップＳＴ１７４の処理に移行する。
【００９３】
ステップＳＴ１７４において、データ転送判定部１１２は、現在判定を行っている番組が最後の番組（全番組数＝Ｎ）か否かを判定する。ここで、現在判定を行っている番組が最後の番組のときは上記した一連のデータ転送判定処理を終了する。また、現在判定を行っている番組が最後の番組でないときは、データ転送の判定を行う番組を更新し（ステップＳ１７５）、ステップＳＴ１７２の処理に戻り、最後の番組になるまでデータ転送の判定処理を実行する。
【００９４】
次に、データ転送判定部１１２の動作について、具体的例を用いて説明する。録画した番組のアクセス回数の一例を図１８に示す。図１８において、番組１は、その符号化データを保存してから一度もアクセスをしていない番組である。また、番組２は、その符号化データを保存してから２回アクセスしている番組である。また、番組３は、その符号化データを保存してから５回アクセスしている番組である。
なお、転送基準データは、図１６に示す例（アクセス回数５回以上を転送基準データとする）を用いることとする。
【００９５】
上記した例によれば、番組１は、その符号化データを保存してから一度もアクセスされていないため、転送基準データ「５」よりも小さく、図１７のステップＳＴ１７２の判定条件に該当しないため、データ転送判定部１１２は、その番組を外部蓄積用メモリ１１１に転送することを指示しない。また、番組２は、その符号化データを保存してから２回アクセスしているが、転送基準データ「５」よりも小さく、図１７のステップＳＴ１７２の判定条件に該当しないため、データ転送判定部１１２は、その番組を外部蓄積用メモリ１１１に転送することを指示しない。
一方、番組３は、その符号化データを保存してから５回アクセスしている。したがって、転送基準データ「５」と等しく、図１７のステップＳＴ１７２の判定条件に該当し、このため、データ転送判定部１１２は、その番組を外部蓄積用メモリ１１１に転送するように転送指示フラグ２２０を設定する。
【００９６】
蓄積用メモリ１０２は、転送指示フラグ２２０によって該当番組を外部蓄積用メモリ１１１に転送するように指示があった場合、その該当番組を外部蓄積用メモリ１１１に転送制御する。
なお、再符号化・消去処理等、その他の動作は実施の形態１と同様であるため、重複を回避する意味で説明を省略する。
【００９７】
以上説明のように、本発明の実施の形態５によれば、録画した番組を所定回数アクセスした場合に外部の蓄積用メモリ１１１にその番組を転送することによって、内部の蓄積用メモリ１０２に空き容量を作ることができ、したがって、蓄積用メモリ１０２が持つ容量の有効活用をはかることができる。
なお、上記した実施の形態５では、実施の形態１に例示された判定基準データおよび抽出判定データに基づき説明したが、実施の形態２あるいは実施の形態３で例示された判定基準データおよび抽出判定データを用いても同様の効果が得られる。また、実施の形態4の構成にデータ転送判定部１１２を付加し、ユーザの視聴特性に応じて外部蓄積用メモリ１１１にデータ転送しても同様の効果が得られる。
【００９８】
実施の形態６．
図１９は、本発明の実施の形態６にかかわる番組録画再生装置の内部構成を示すブロック図である。
図１に示す実施形態１、実施形態２、実施形態３との構成上の差異は、蓄積用メモリ１０２が持つ容量と蓄積用メモリ１０２の現時点における容量とから蓄積用メモリ１０２の残容量を算出する残容量算出部１１３と、アラームを通知する判定基準になる残容量閾値が設定されるアラーム閾値設定部１１４と、残容量算出部１１３によって算出される蓄積用メモリ１０２の残容量と、アラーム閾値設定部１１４に設定されたメモリ残容量閾値とを比較し、その結果によって、再符号化もしくは消去処理の実行が行いやすいように条件を補正するか否かを判定するアラーム通知判定部１１５と、判定基準補正部１１０とが付加されたことにある。
【００９９】
上記した残容量算出部１１３と、アラーム閾値設定部１１４と、アラーム通知判定部１１５と、判定基準補正部１１０は、蓄積用メモリ１０２が元々持つ容量（全容量）と、蓄積用メモリ１０２の現時点における容量（現蓄積容量）とから算出される残容量を、再符号化もしくは消去処理するときの所定の条件の変更に反映させるメモリ残容量監視手段（図１９中、点線枠内で囲まれたブロック）として機能する。
なお、２２１は現蓄積容量値、２２２は残容量割合、２２３はアラーム閾値、２２４は残容量アラーム信号である。
【０１００】
図２０は、アラーム通知判定部１１５で実行されるアラーム通知判定手順を示すフローチャートである。
以下、図２０に示すフローチャートを参照しながら、図１９に示す本発明の実施の形態６にかかわる番組録画再生装置のアラーム通知判定部１１５の動作について説明する。
【０１０１】
残容量算出部１１３は、蓄積用メモリ１０２の現蓄積容量値２２１と、蓄積用メモリ１０２の全容量から残容量割合（（全容量―現蓄積容量）／全容量 ×１００）を算出する（ステップＳＴ２０２）。また、アラーム閾値設定部１１４は、アラームを通知する判定基準となる残容量閾値を設定する。
【０１０２】
続いて、アラーム通知判定部１１５は、残容量算出部１１３から出力される残容量割合２２２と、アラーム閾値設定部１１４からの出力されるアラーム閾値２２３とを比較し（ステップＳＴ２０３）、その結果を、判定基準補正部１１０と、ユーザインターフェース部１０８に送る。
ここで、残容量割合２２２がアラーム閾値２２３以下の場合は、蓄積用メモリ１０２の残容量が少ないため、再符号化や消去処理を行いやすいように判定基準データ２１８を補正するように判定基準補正部１１０に指示を送り（ステップＳＴ２０４）、アラーム通知判定を終了する。また、残容量割合２２２がアラーム閾値２２３より大きい場合は、蓄積用メモリ１０２の残容量が十分に残っているため、判定基準補正部１１０に指示を送ることなく、アラーム通知判定を終了する。
【０１０３】
なお、判定基準補正部１１０は、残容量アラーム信号２２４の指示により、判定基準データ２１８を補正し、あるいは補正しない。
例えば、蓄積用メモリ１０２へのアクセス頻度に基づいて蓄積用メモリ１０２に保存された番組を再符号化または消去する際の判定基準データを図３に例示された内容を用いた場合、直近３０日間の消去基準データはアクセス頻度が５回以上、再符号化基準データは２回以上４回以下、１年間の消去基準データは、アクセス頻度が０回、再符号化基準データは1回以上２回以下となる。
これに対して、判定基準補正部１１０が、残容量アラーム信号２２４の指示により、判定基準データ２１８を、再符号化または消去処理が行いやすいように補正する場合は、例えば、直近３０日間の消去基準データはアクセス頻度が４回以上、再符号化基準データは１回以上４回以下、１年間の消去基準データはアクセス頻度が１回以下、再符号化基準データは１回以上３回以下のように補正する。
【０１０４】
上記したように、残容量算出部１１３と、アラーム閾値設定部１１４と、アラーム通知判定部１１５と、判定基準補正部１１０は、蓄積用メモリ１０２が元々持つ保存容量と、蓄積用メモリ１０２の現時点における保存容量とから算出される残保存容量を、再符号化もしくは消去処理するときの所定の条件の変更に反映させる、本発明のメモリ残容量監視手段として機能する。
上記した本発明の第６の実施の形態によれば、蓄積用メモリ１０２の残保存容量によって再符号化や消去処理を制御することにより、蓄積用メモリ１０２が持つ容量の有効活用をはかることができる。
【０１０５】
なお、上記した実施の形態６では、実施の形態１で例示された判定基準データおよび抽出判定データに基づき説明したが、実施の形態２あるいは実施の形態３で例示された判定基準データおよび抽出判定データを用いても同様の効果が得られる。
また、残容量アラーム信号２２４の指示により、実施の形態５において説明したデータ転送判定部１１２における判定を、外部蓄積用メモリ１１１へ転送しやすくするように補正しても同様の効果が得られる。
【０１０６】
以上説明のように本発明は、録画した番組を保存する蓄積用メモリ１０２のユーザの参照頻度に応じて（実施の形態１）、あるいは、無視聴時間に応じて（実施の形態２）、あるいは、蓄積用メモリ１０２に録画した番組の録画日時に応じて（実施の形態３）、あるいは、ユーザの視聴特性を学習して得られる学習情報に応じて（実施の形態４）、その録画番組を再符号化して圧縮し、または消去することにより、蓄積用メモリ１０２が持つ容量の有効活用をはかるものである。
また、蓄積用メモリ１０２とは独立に付加される外部蓄積用メモリ１１１に、蓄積用メモリ１０２のユーザの利用状況、無視聴時間、録画日時、学習情報のいずれかに基づいて、録画番組を複写し、もしくは再符号化して転送することで（実施の形態５）、あるいは、蓄積用メモリ１０２の残容量に応じてその録画番組を再符号化して圧縮し、または消去することで（実施の形態６）、蓄蓄積用メモリ１０２が持つ容量の有効活用をはかるものである。
【０１０７】
なお、上記した実施の形態1〜実施の形態６の全てにおいて、符号化部１０１は一個で構成される例についてのみ示しており、このような構成における再符号化は、符号化部１０１がテレビ信号などの外部入力信号２００を符号化していないときに行われる。ところが、符号化部１０１を複数の符号化器で構成する場合の符号化は、テレビ信号などの外部入力信号２００を符号化していない他方の符号化器を用いて行われる。
【０１０８】
また、実施の形態１〜実施の形態６で示した、選択出力部１００、符号化器１０１、蓄積用メモリ１０２、判定情報保存部１０３、判定基準保存部１０４、再符号化・消去処理判定部１０５、再符号化パラメータ設定部１０６、復号化部１０７、ユーザインターフェース部１０８、学習情報保存部１０９、判定基準補正部１１０、外部蓄積用メモリ１１１、データ転送判定部１１２、残容量算出部１１３、アラーム閾値設定部１１４、アラーム通知判定部１１５のそれぞれで実行される手順をコンピュータ読み取り可能な記録媒体に記録し、この記録媒体に記録されたプログラムをコンピュータシステムに読み込ませ、実行することによっても本発明の番組録画装置を実現することができることは言うまでもない。
【図面の簡単な説明】
【０１０９】
【図１】本発明の実施の形態1における番組録画再生装置の内部構成を示すブロック図である。
【図２】本発明の実施の形態１において使用される判定データの一例を示す図である。
【図３】本発明の実施の形態１において使用される判定基準データの一例を示す図である。
【図４】本発明の実施の形態１における再符号化・消去処理判定の処理手順を示すフローチャートである。
【図５】本発明の実施の形態２において使用される判定データの一例を示す図である。
【図６】本発明の実施の形態２において使用される判定基準データの一例を示す図である。
【図７】本発明の実施の形態２における再符号化・消去処理判定の処理手順を示すフローチャートである。
【図８】本発明の実施の形態３において使用される判定基準データの一例を示す図である。
【図９】本発明の実施の形態３において使用される判定基準データの一例を示す図である。
【図１０】本発明の実施の形態３における再符号化・消去処理判定の処理手順を示すフローチャートである。
【図１１】本発明の実施の形態４における番組録画再生装置の内部構成を示すブロック図である。
【図１２】本発明の実施の形態４において使用される学習情報の一例を示す図である。
【図１３】本発明の実施の形態において使用される学習情報保存部に保存する情報の一例を示す図である。
【図１４】本発明の実施の形態４における判定基準補正の処理手順を示すフローチャートである。
【図１５】本発明の実施の形態５における番組録画再生装置の内部構成を示すブロック図である。
【図１６】本発明の実施の形態５において使用される転送基準データの一例を示す図である。
【図１７】本発明の実施の形態５におけるデータ転送判定の処理手順を示すフローチャートである。
【図１８】本発明の実施の形態５において使用される録画した番組のアクセス回数の一例を示す図である。
【図１９】本発明の実施の形態６における番組録画再生装置の構成を示すブロック図である。
【図２０】本発明の実施の形態６におけるアラーム通知判定の処理手順を示すフローチャートである。
【符号の説明】
【０１１０】
１００  選択出力部、１０１  符号化器、１０２  蓄積用メモリ、１０３  判定情報保存部、１０４  判定基準保存部、１０５  再符号化・消去処理判定部、１０６  再符号化パラメータ設定部、１０７  復号化部、１０８  ユーザインターフェース部、１０９  学習情報保存部、１１０  判定基準補正部、１１１  外部蓄積用メモリ、１１２  データ転送判定部、１１３  残容量算出部、１１４  アラーム閾値設定部、１１５  アラーム通知判定部。
【図１】
2007142645.tif 000003
【図２】
2007142645.tif 000004
【図３】
2007142645.tif 000005
【図４】
2007142645.tif 000006
【図５】
2007142645.tif 000007
【図６】
2007142645.tif 000008
【図７】
2007142645.tif 000009
【図８】
2007142645.tif 000010
【図９】
2007142645.tif 000011
【図１０】
2007142645.tif 000012
【図１１】
2007142645.tif 000013
【図１２】
2007142645.tif 000014
【図１３】
2007142645.tif 000015
【図１４】
2007142645.tif 000016
【図１５】
2007142645.tif 000017
【図１６】
2007142645.tif 000018
【図１７】
2007142645.tif 000019
【図１８】
2007142645.tif 000020
【図１９】
2007142645.tif 000021
【図２０】
2007142645.tif 000022